(57)【特許請求の範囲】
【請求項１】
軒先の鼻隠し板に軒樋を略当接して施工し、この軒樋どうしの端部を近接させ、あるいは略突き当てて配置し、この軒樋の端部部分に外板と内板にて挟着して施工して成る継手において、内板の上端に軒樋耳部に当接してなる押圧片を設け、該押圧片上面に係合突起を形成し、その係合突起は軒樋耳部の係合片に固定し、外板の背面板の上端からは背面側に折曲した当接片が形成して成る軒樋継手。
【発明の詳細な説明】
【０００１】
【産業上の利用分野】
本発明は住宅の屋根の軒先部分に施工する軒樋の継手に関するものである。
【０００２】
【従来の技術】
近年では都市部を中心とする住宅では敷地面積の少ない住宅が増加し、そのため建物と近隣とのスペースがとれず、室内を広くとるためには軒先の出を少なくした構造の建物が増えている。
【０００３】
これら軒先の出の少ない建物に軒樋を施工するには、軒先の長さに合わせて軒樋を接続して行くが、このとき軒樋継手が用いられ、軒樋の端部どうしを突き当てて、その周囲を水漏れの起こらないように固定するものである。
そのため従来より軒樋の接続部分の周囲を、シール材などを塗布した外板と内板にて挟着して接続する方法がとられていた。
すなわち軒樋の端部の外周囲に外板を配置し、同じく内周囲に内板を配置し、それぞれにシール材などを塗布して接続するものであった。
【０００４】
このような継手で接続施工するには接続部分に隙間を生じてはならず、また施工後の外観を損なうものであってはならない。
この軒樋と継手との間は隙間が生じやすいが、これは水漏れの原因となったりして継手としての機能を損なう原因ともなった。
したがってこのような軒樋どうしを継手にて接続する際には、作業が容易に行えると共に軒樋と継手との隙間が生じないように施工することが求められる。
【０００５】
【発明が解決しようとする課題】
このように従来よりの軒樋を軒の出の少ない建物に施工し、継手を用いて接続する場合、建物の外観を損なわないようにしなければならないが、従来の軒先から軒樋までの位置が離れている場合には、隙間をなくすための施工も比較的行いやすいが、鼻隠し板と軒樋が接しているような場所に継手を用いて施工することは作業が困難な場合があった。
【０００６】
すなわち軒樋の背面側に鼻隠し板が接しているため、従来のように爪曲げなどの作業が困難となり、従来の継手の構造では継手と軒樋の間に隙間が開いたりして施工できないものであった。
この隙間が生ずると長期間の使用に当たっては水漏れを起こす恐れもあり、また施工後の外観も損なうものであった。
【０００７】
【課題を解決するための手段】
上記したような条件を満たすため本発明に係る軒樋継手は、軒先の鼻隠し板などに接するように軒樋を取付けて施工する場合の継手構造にかかり、その手段として内板の上部に弾性的に内方に突出した押圧片を形成し、その上部に係合突起を形成して軒樋の耳部に係合させる構造としたものである。
【０００８】
すなわち、軒樋の端部を外板と内板にて挟着する構造の継手であって、内板の上端を内方に折曲し、その上部に形成した係合突起を軒樋耳部の係合片に固定する構造としたものである。
【０００９】
【作用】
本発明の対象である軒樋の継手は、屋根の軒先に施工する軒樋どうしを接続するものであるが、継手の内板上部に設けた係合突起を軒樋の耳部を下方から押圧するようにして係合するものである。
この内板構造のため係合突起の上端部は軒樋耳部を上方に持ち上げるように力が働き、その反作用として底面板は軒樋を下方に押さえる方向に力が働き、内板が常に軒樋の内周面に押し付けられる構造となっているため、施工後に軒樋と内板との間に隙間などが生じないものである。
【００１０】
すなわち本発明に係る軒樋継手は、外板と内板にて軒樋を挟着するようにして施工され、内板の上端を内方に折曲し、その上部に形成した係合突起を軒樋耳部の係合片に固定する構造としたものである。
この内板の係合突起の作用で、内板が下方に押し付けられて軒樋との隙間をなくすものである。
隙間をなくすことによってシール材が切れて水漏れを起こすこともなく、軒の出の少ない建物であっても軒先や建物の意匠を損なうことがない。
【００１１】
また施工も従来の継手と変わらずに隙間も生じないで容易に行え、特に軒先と近接した位置に軒樋を施工する場合にも熟練も必要とせずに容易に施工でき、水漏れなどの恐れもなく、施工後の外観も良好なるものとなる。
【００１２】
【実施例】
以下、本発明を添付図面に示した実施例により詳説する。
図１は本発明に係る軒樋Ｄと継手Ｇとを、屋根の先端に施工した時の斜視図を示し、図２は継手Ｇの分解斜視図を示す。
図示例の施工場所は野地板Ｂの先端に唐草Ｆが取り付けられ、その上面に屋根板Ａが施工されている。
【００１３】
軒樋Ｄは０．４ｍｍないし０．６ｍｍ程度の鋼板あるいは亜鉛アルミメッキ鋼板などを折曲して長さ２ｍないし４ｍに成形され、本体１は正面板１１、背面板１２、及び底面板１３によって上部が開口した略コ字状をなしている。
この材料の種類は決まったものではなく、また厚さや長さは成形する軒樋の大きさなどにより決って来るもので、特にこの数値に限定されるものではない。
【００１４】
正面板１１の下部には水平方向に沿って段差１４が２箇所形成してあるが（図２）、これは軒樋Ｄの補強のためと、横方向のラインを強調して施工後の意匠を良好とするためである。
この軒樋形状は本実施例以外にも種々の形状が想定され、図示例に限定されるものではない。
【００１５】
正面板１１及び背面板１２の上端縁は内方に向かって下がるように折曲して耳部１５が形成され、この耳部１５は内方に傾斜した傾斜片１５ａを設け、更にその下端を外方に折曲して係合片１５ｂが形成されている。
また背面板１２の上端縁は同じく内方に折曲して正面板１１と同様に、傾斜片１５ａと係合片１５ｂに略三角形状にされている。
このとき、係合片１５ｂはやや短めに形成され、軒樋Ｄの正面板１１及び背面板１２との間には隙間が形成される構造となっている。
【００１６】
図１に示す継手Ｇは軒樋Ｄと同様材質で形成され、外板２および内板３により構成される。（図２）
外板２は図２に示す如く、正面板２１、背面板２２、底板２３により軒樋Ｄの外周面に当接する形状に成形されている。
【００１７】
外板２の正面板２１の中間部分には、軒樋Ｄに対応する段差が二箇所形成され、上端には押え片２４を介して巻着片２５が立設されている。
この巻着片２５は正面板２１の上端を一度軒樋Ｄの傾斜片１５ａに沿うように下方に折曲して押え片２４を形成し、さらにほぼ垂直に折曲して形成されている。
この時垂直に折曲する部分の基部には、スリット孔２６が軒樋Ｄの長手方向にそって二箇所に窄設されて、巻着作業を容易にしている。
【００１８】
スリット孔２６は巻着片２５を折曲して軒樋Ｄの耳部１５に巻着する際に、折曲しやすいように形成したものであり、その配置や形状は耳部１５の形状によって折曲位置も異なるため、特に限定されるものではない。
【００１９】
また背面板２２の上端からは背面側に弾性的に折曲した当接片２７が折曲されており、この当接片２７は図示例では背面板２２の全体を折曲して形成してあるが、幅などは適宜に設計すればよいものである。（図２）
この当接片２７が施工時に鼻隠し板Ｃを押圧することにより軒樋Ｄのガタツキなどを防止するものである。
【００２０】
一方、図２に示す如く内板３は軒樋Ｄに略内接するように配置され、正面板３１、背面板３２、底面板３３により断面略コ字状に成形され、正面板３１の中間部分には段部が階段状に二箇所折曲して形成されている。
【００２１】
内板３の正面板３１および背面板３２の上端からは、ほぼ内方にほぼ水平に折曲された押圧片３４が形成され、さらにその先端は補強のために下方に折曲してある。
この押圧片３４の上面には上方に向かって、曲面状に突出した係合突起３５がそれぞれ二箇所ずつ形成されている。
【００２２】
また内板３の中央部分には周面にそって、内周に突出し外周が溝となる突状部３６がプレスなどにて押しだして形成されており、施工するときにこの突状部３６の外周の溝部分ににシール材３７などを塗布することにより、軒樋Ｄの端縁の突き当て部分が確実にシールされて水もれを防ぐものである（図３）。
【００２３】
施工に際しては野地板Ｂの軒先に唐草Ｆを施工し、その上面に屋根板Ａを施工し、軒先の下部に設置された鼻隠し板Ｃ軒樋Ｄを施工する。（図１）
この軒樋Ｄの本体１の底面板１３は軒天板の下面側と同一面位置になるように設置され、施工したときに軒樋Ｄと軒天板とを連続させて外観の向上を図っている。
また、前述したようにこの鼻隠し板Ｃの上下方向の幅は規格で定まっており、軒樋Ｄの幅はそれに適した寸法に合わせればより意匠を高めるものである。
【００２４】
軒樋Ｄは図示例では雨水を流す本体１の背面板１２を鼻隠し板Ｃに当接して施工されるが、完全に密接していることではなく、取付けの吊り金具Ｅなどにより若干の隙間をもって施工される。
【００２５】
上記したように軒樋Ｄを軒先の鼻隠し板Ｃに取り付けるが、軒先の野地板Ｂなどは鼻隠し板Ｃから定まった突出長さに（図３の図示例では３０ｍｍ程度）に切りそろえておけば屋根面から流下してくる雨水を完全に軒樋の内部に導入することができる。
この長さの目安としては、屋根材Ａの先端位置が軒樋Ｄの中央となる程度の位置であり、軒樋Ｄの幅等によっても変わるものである。
【００２６】
屋根材Ａは野地板Ｂやタルキなどに固定されて施工され、また鼻隠し板Ｃの下端からは軒天板が施工されている。
軒樋Ｄは金具などにて鼻隠し板Ｃに施工されるが、軒樋Ｄどうしを接続するにはそれぞれの接続する端縁を近接して対置する。
【００２７】
このあと図３に示すように継手Ｇを施工するが、初めに外板２を軒樋Ｄどうしの継目部分に外嵌するようにかぶせるが、この時押え片２４は軒樋Ｄの傾斜片１５ａに当接され、また巻着片２５が耳部１５を巻き込むようにして係合されるため、外板２が落下するような事はない。（図４）
【００２８】
また背面板２２の当接片２７は軒樋Ｄと鼻隠し板Ｃとの隙間に差し込まれるように配置される。
このように外板２を取り付けたあと内板３を取り付けるが、軒樋Ｄどうしの継目を覆うようにして内板２を内周面に当接して配置するが、内板３はあらかじめ外板２を取り付けた部分の内面側に配置し、係合突起３５を軒樋Ｄの係合片１５ｂを乗り越えるようにして、係合突起３５を押し込んで施工する。
この時係合突起３５は、係合片１５ｂと正面板１１あるいは背面板１２との隙間に配置され（図４）、確実にして容易に係合されるものである。
また施工時には突状部３６の裏面側のへこみにシール材３７を塗布して継目部分に押し付けて固定すれば水漏れの恐れもないものとなる。（図３）
【００２９】
内板３を取り付けたあとに正面側の押圧片３４は、軒樋Ｄの係合片１５ｂの下面側に当接して配置され、また後側の押圧片３４も同様にして係合片１５ｂに当接される。
すなわち正面板３１を軒樋Ｄの正面板１１に密接するように押し付けることにより、係合突起３５が係合片１５ｂの内側に入り込むことに依って、定まった位置に内板３を配置して施工することが出来る。
【００３０】
このようにして施工が完成するが、図４の要部の拡大断面図に示すように、軒樋Ｄとその外周に当接する外板２、及び内周に当接する内板３がそれぞれ隙間なく施工されるものとなる。
【００３１】
【発明の効果】
上記したように本発明に係る軒樋継手は、鼻隠し板などに接するようにして施工された軒樋の接続に際し、容易に施工できると共に軒樋と継手との隙間も生じないため次のような利点を有するものである。
【００３２】
１．以上のように継手が鼻隠し板に接するように施工される軒樋の継手を容易に施工することができ、係合突起によって内板が軒樋の内周面に挟み込まれるように配置され、施工後も軒樋と継手との隙間も生じないで外観も良好となるものである。
２．この内板と軒樋との間に隙間が生じず、シール材を塗布して施工することにより水漏れ等の恐れもなく長期間の使用に耐えるものとなる。
３．施工も簡単で容易に行えるため作業に熟練などを必要とせず、軒先の鼻隠し板などが接近している場所でも容易にして迅速に作業が行える。
特に内板の施工が係合突起を軒樋の係合片に内側から係合するだけで簡単にして確実に施工できるものである。
【図面の簡単な説明】
【図１】は本発明に係る実施例である軒樋継手を屋根先端に施工した時の斜視図、
【図２】は同上の軒樋と継手の分解斜視図、
【図３】は軒樋を接続したときの継手部分の中央縦断斜視図、
【図４】は同上の軒樋継手を施工した時の横断面図である。
Ａ・・・屋根板
Ｂ・・・野地板
Ｃ・・・鼻隠し板
Ｄ・・・軒樋
Ｅ・・・吊金具
Ｆ・・・唐草
Ｇ・・・継手
１・・・本体
１１・・正面板
１２・・背面板
１３・・底面板
１４・・段部
１５・・耳部
１５ａ・傾斜片
１５ｂ・係合片
２・・・外板
２１・・正面板
２２・・背面板
２３・・底面板
２４・・押え片
２５・・巻着片
２６・・スリット孔
２７・・当接片
３・・・内板
３１・・正面板
３２・・背面板
３３・・底面板
３４・・押圧片
３５・・係合突起
３６・・突状部
３７・・シール材
【図１】
0004517317.tif 000002
【図２】
0004517317.tif 000003
【図３】
0004517317.tif 000004
【図４】
0004517317.tif 000005